(57)【特許請求の範囲】
【請求項１】
電力系統から独立した発電設備に自然エネルギーを電気エネルギーに変換して電力を発電する発電部を連系し、この発電設備と発電部との間に電力貯蔵部を有する充放電部を接続し、電力貯蔵部に蓄えたエネルギーを充放電部で充電または放電制御することにより前記発電部の出力と充放電部の出力とを加減算して電力の変動を緩和するものにおいて、
前記発電部の発電電力の変化率を演算する変化率演算部を設け、この変化率演算部に変化率制限部を設け、変化率演算部に発電部の発電電力の検出値と、前記発電設備のガバナの最大追従可能な電力変化量よりも小さい変化量となるような制限値に設定された前記発電電力の正方向変化率設定値、及び負方向変化率設定値とを入力し、変化率演算部は、前回サンプリング時の変化率制限部の演算値と１サンプリング当たりの許容変化量上限値との和の値と、入力された前記発電部の発電電力検出値とを比較し、発電部の発電電力検出値が大きいときに前記和の値を変化率演算部の出力とすると共に、前回サンプリング時の変化率制限部の演算値と１サンプリング当たりの許容変化量下限値との差の値と、入力された前記発電部の発電電力検出値とを比較し、発電部の発電電力検出値が小さいときに前記差の値を変化率演算部の出力とし、発電部の発電電力検出値が前記和の値以下で、且つ前記差の値以上のときに前記発電電力検出値を変化率演算部の出力とし、
この変化率演算部の出力と発電部の発電電力検出値との差分を前記充放電部の充放電指令値とすることを特徴とした自然エネルギーを利用した発電システムに用いる新エネルギー発電システム出力変動緩和装置。
【請求項２】
電力系統に自然エネルギーを電気エネルギーに変換して電力を発電する発電部を連系し、この電力系統と発電部との間に電力貯蔵部を有する充放電部を接続し、電力貯蔵部に蓄えたエネルギーを充放電部で充電または放電制御することにより前記発電部の出力と充放電部の出力とを加減算して電力の変動を緩和するものにおいて、
前記発電部の発電電力の変化率を演算する変化率演算部を設け、この変化率演算部に変化率制限部を設け、変化率演算部に発電部の発電電力の検出値と、
前記電力系統の最大追従可能な電力変化量よりも小さい変化量となるような制限値に設定された前記発電電力の正方向変化率設定値、及び負方向変化率設定値とを入力し、
変化率演算部は、前回サンプリング時の変化率制限部の演算値と１サンプリング当たりの許容変化量上限値との和の値と、入力された前記発電部の発電電力検出値とを比較し、発電部の発電電力検出値が大きいときに前記和の値を変化率演算部の出力とすると共に、前回サンプリング時の変化率制限部の演算値と１サンプリング当たりの許容変化量下限値との差の値と、入力された前記発電部の発電電力検出値とを比較し、発電部の発電電力検出値が小さいときに前記差の値を変化率演算部の出力とし、発電部の発電電力検出値が前記和の値以下で、且つ前記差の値以上のときに前記発電電力検出値を変化率演算部の出力とし、この変化率演算部の出力と発電部の発電電力検出値との差分を前記充放電部の充放電指令値とすることを特徴とした自然エネルギーを利用した発電システムに用いる新エネルギー発電システム出力変動緩和装置。
【請求項３】
電力系統と、この電力系統に接続される発電設備に自然エネルギーを電気エネルギーに変換して電力を発電する発電部を連系し、この電力系統および発電設備を有する系統と発電部との間に電力貯蔵部を有する充放電部を接続し、電力貯蔵部に蓄えたエネルギーを充放電部で充電または放電制御することにより前記発電部の出力と充放電部の出力とを加減算して電力の変動を緩和するものにおいて、
前記発電部の発電電力の変化率を演算する変化率演算部を設け、この変化率演算部に変化率制限部を設け、変化率演算部に発電部の発電電力の検出値と、
前記発電設備のガバナの最大追従可能な電力変化量よりも小さい変化量となるような制限値に設定された前記発電電力の正方向変化率設定値、及び負方向変化率設定値とを入力し、
変化率演算部は、前回サンプリング時の変化率制限部の演算値と１サンプリング当たりの許容変化量上限値との和の値と、入力された前記発電部の発電電力検出値とを比較し、発電部の発電電力検出値が大きいときに前記和の値を変化率演算部の出力とすると共に、前回サンプリング時の変化率制限部の演算値と１サンプリング当たりの許容変化量下限値との差の値と、入力された前記発電部の発電電力検出値とを比較し、発電部の発電電力検出値が小さいときに前記差の値を変化率演算部の出力とし、発電部の発電電力検出値が前記和の値以下で、且つ前記差の値以上のときに前記発電電力検出値を変化率演算部の出力とし、
この変化率演算部の出力と発電部の発電電力検出値との差分を前記充放電部の充放電指令値とすることを特徴とした自然エネルギーを利用した発電システムに用いる新エネルギー発電システム出力変動緩和装置。
【請求項４】
前記電力貯蔵部の残量を検出して制限値補正部に出力し、この制限値補正部による補正値を前記正方向変化率設定値、及び負方向変化率設定値としたことを特徴とした請求項１乃至３記載の自然エネルギーを利用した発電システムに用いる新エネルギー発電システム出力変動緩和装置。
【請求項５】
前記発電設備を、小水力発電設備、ディーゼル発電設備又はガスエンジン発電設備としたことを特徴とした請求項１又は３又は４記載の自然エネルギーを利用した発電システムに用いる新エネルギー発電システム出力変動緩和装置。
【発明の詳細な説明】
【技術分野】
【０００１】
本発明は、自然エネルギーを利用した発電システムに係り、特に発電電力の変動を緩和するための新エネルギー発電システム出力変動緩和装置に関するものである。
【背景技術】
【０００２】
風力や太陽光などの自然エネルギーを利用した発電システムは、それ自体では発電電力が気象条件に大きく影響されるために種々の手法により電力変動の緩和が図られ、例えば、太陽光発電システムとしては特許文献１が公知となっている。
【０００３】
特許文献１のものは、複数設置された太陽電池の出力を集電し、系統連系型インバータを介して電力系統に接続すると共に、太陽電池とインバータ間に蓄電装置を有する充放電回路を接続し、太陽電池の出力が充放電回路を介して蓄電装置に充電、或いは放電するように構成したものである。そして、この充放電時の制御は、太陽電池の発電電力を検出し、その電力の移動平均値を算出して充放電制御を実施して日射の変動による太陽電池の発電電力変動を吸収して電力系統への逆潮流電力の変動を抑制している。
【０００４】
特許文献２には、離島等において商用電源としてディーゼル発電機を設置し、出力変動の大きい風力発電システムを分散電源として接続したシステム構成のものが開示されている。この文献２には、有効電力及び無効電力変動による周波数変動をインバータ及び電力貯蔵装置により抑制するに当たって、風力発電システムの有効電力変動を検出し、ディーゼル発電機のガバナ特性のカットオフ周波数から割り出されたカットオフ周波数を有する高域フィルタにより有効電力変動から短周期変動分を抽出し、インバータの有効電力指令値を作成することが記載されている。
【特許文献１】特開２００１−５５４３号公報
【特許文献２】特開２０００−４５４１号公報
【発明の開示】
【発明が解決しようとする課題】
【０００５】
上述のように、電力系統に自然エネルギーを利用した発電システムを電源として連系する場合、電力貯蔵装置やインバータを用いて逆潮流電力の変動を抑制しているが、その制御において、特許文献１では電力の移動平均値を算出し、この算出値に基づいた信号により充放電制御を実行しているため、以下の問題を有している。
【０００６】
すなわち、移動平均は、入力信号系列をx(nT)とすると、この入力信号系列x(nT)から順にN点(Nは移動平均回数)を取り出し、それらを加算し、その結果をNで割ることによって入力信号系列x(nT)の移動平均である出力系列y(nT)を得ている。このため、移動平均回数を大きくすると加算量が大きくなり、過去の入力を記憶するための領域も大きくなって制御演算装置の処理能力を超えてしまうか、若しくは高価な処理能力の高い制御演算装置が必要となる。
【０００７】
また、このような移動平均を用いた場合、通常、スタートアップ時にリングバッファのすべてのフィールド(フィールド数は上記したNに対応)を初回検出値で埋める方式がよく採用され、この初回検出値が不安定な入力データなどから得られた異常な検出値であると、リングバッファのすべてのフィールド分の検出が終了するまで異常な検出値の影響が残ってしまうという問題がある。
【０００８】
さらに、特許文献２のように、有効電力の変動量を検出して高域フィルタを介してインバータの指令値を生成する場合、変動量の大きさによって変動抑制後の系統に与える変動量の傾きが変わってくる。一般に、系統に接続された発電機が変動に追従できる出力の変化率には限界があり、そのため系統に与える変動を発電機が追従できる限界内に収めるような移動平均数カットオフ周波数を設定する必要がある。しかし、自然エネルギーを用いた発電装置の出力変化量は大きく、高域フィルタによる出力の変動抑制を行った場合でも変動量の大きさによって
出力変動の急変に追従できず、系統側の発電機の追従範囲を超えた変化率が出力されることがある。同様に、移動平均による出力変動抑制の場合も、発電機の追従範囲を超えた変化率が出力されることがある。
【０００９】
したがって本発明が目的とするところは、異常な検出値の影響が残らないことおよび発電部の出力変動の急変時においても発電設備の発電機用ガバナまたは／および電力系統が追従可能な電力変動となるような自然エネルギーを利用した発電システムに用いる新エネルギー発電システム出力変動緩和装置を提供することにある。
【課題を解決するための手段】
【００１０】
本発明の第１は、電力系統から独立した発電設備に自然エネルギーを電気エネルギーに変換して電力を発電する発電部を連系し、この発電設備と発電部との間に電力貯蔵部を有する充放電部を接続し、電力貯蔵部に蓄えたエネルギーを充放電部で充電または放電制御することにより前記発電部の出力と充放電部の出力とを加減算して電力の変動を緩和するものにおいて、
前記発電部の発電電力の変化率を演算する変化率演算部を設け、この変化率演算部に変化率制限部を設け、変化率演算部に発電部の発電電力の検出値と、前記発電設備のガバナの最大追従可能な電力変化量よりも小さい変化量となるような制限値に設定された前記発電電力の正方向変化率設定値、及び負方向変化率設定値とを入力し、変化率演算部は、前回サンプリング時の変化率制限部の演算値と１サンプリング当たりの許容変化量上限値との和の値と、入力された前記発電部の発電電力検出値とを比較し、発電部の発電電力検出値が大きいときに前記和の値を変化率演算部の出力とすると共に、前回サンプリング時の変化率制限部の演算値と１サンプリング当たりの許容変化量下限値との差の値と、入力された前記発電部の発電電力検出値とを比較し、発電部の発電電力検出値が小さいときに前記差の値を変化率演算部の出力とし、発電部の発電電力検出値が前記和の値以下で、且つ前記差の値以上のときに前記発電電力検出値を変化率演算部の出力とし、
この変化率演算部の出力と発電部の発電電力検出値との差分を前記充放電部の充放電指令値とすることを特徴としたものである。
【００１１】
本発明の第２は、電力系統に自然エネルギーを電気エネルギーに変換して電力を発電する発電部を連系し、この電力系統と発電部との間に電力貯蔵部を有する充放電部を接続し、電力貯蔵部に蓄えたエネルギーを充放電部で充電または放電制御することにより前記発電部の出力と充放電部の出力とを加減算して電力の変動を緩和するものにおいて、
前記発電部の発電電力の変化率を演算する変化率演算部を設け、この変化率演算部に変化率制限部を設け、変化率演算部に発電部の発電電力の検出値と、
前記電力系統の最大追従可能な電力変化量よりも小さい変化量となるような制限値に設定された前記発電電力の正方向変化率設定値、及び負方向変化率設定値とを入力し、
変化率演算部は、前回サンプリング時の変化率制限部の演算値と１サンプリング当たりの許容変化量上限値との和の値と、入力された前記発電部の発電電力検出値とを比較し、発電部の発電電力検出値が大きいときに前記和の値を変化率演算部の出力とすると共に、前回サンプリング時の変化率制限部の演算値と１サンプリング当たりの許容変化量下限値との差の値と、入力された前記発電部の発電電力検出値とを比較し、発電部の発電電力検出値が小さいときに前記差の値を変化率演算部の出力とし、発電部の発電電力検出値が前記和の値以下で、且つ前記差の値以上のときに前記発電電力検出値を変化率演算部の出力とし、この変化率演算部の出力と発電部の発電電力検出値との差分を前記充放電部の充放電指令値とすることを特徴としたものである。
【００１２】
本発明の第３は、電力系統と、この電力系統に接続される発電設備に自然エネルギーを電気エネルギーに変換して電力を発電する発電部を連系し、この電力系統および発電設備を有する系統と発電部との間に電力貯蔵部を有する充放電部を接続し、電力貯蔵部に蓄えたエネルギーを充放電部で充電または放電制御することにより前記発電部の出力と充放電部の出力とを加減算して電力の変動を緩和するものにおいて、
前記発電部の発電電力の変化率を演算する変化率演算部を設け、この変化率演算部に変化率制限部を設け、変化率演算部に発電部の発電電力の検出値と、
前記発電設備のガバナの最大追従可能な電力変化量よりも小さい変化量となるような制限値に設定された前記発電電力の正方向変化率設定値、及び負方向変化率設定値とを入力し、
変化率演算部は、前回サンプリング時の変化率制限部の演算値と１サンプリング当たりの許容変化量上限値との和の値と、入力された前記発電部の発電電力検出値とを比較し、発電部の発電電力検出値が大きいときに前記和の値を変化率演算部の出力とすると共に、前回サンプリング時の変化率制限部の演算値と１サンプリング当たりの許容変化量下限値との差の値と、入力された前記発電部の発電電力検出値とを比較し、発電部の発電電力検出値が小さいときに前記差の値を変化率演算部の出力とし、発電部の発電電力検出値が前記和の値以下で、且つ前記差の値以上のときに前記発電電力検出値を変化率演算部の出力とし、
この変化率演算部の出力と発電部の発電電力検出値との差分を前記充放電部の充放電指令値とすることを特徴としたものである。
【００１４】
本発明の第４は、前記電力貯蔵部の残量を検出して制限値補正部に出力し、この制限値補正部による補正値を前記正方向変化率設定値、及び負方向変化率設定値としたことを特徴としたものである。
【００１５】
本発明の第５は、前記発電設備を、小水力発電設備、ディーゼル発電設備又はガスエンジン発電設備としたことを特徴としたものである。
【発明の効果】
【００１６】
以上のとおり、本発明によれば、変化率演算部の出力と発電部の発電電力検出値との差分となる充放電量の指令値は、異常な検出値が入力された場合でも当該異常値以降の指令値に影響せず、発電設備の発電機用ガバナまたは／および電力系統が十分に追従できる範囲内に電力変動を抑えたことにより、発電設備または／および電力系統に発電部を連系したときの電力は安定し、発電部の出力変動による電力系統、発電設備または負荷への悪影響は緩和される。
また、電力変動の緩和制御のために、変化率の演算信号を用いているので、移動平均を用いたものと比較すると加減算と比較とがそれぞれ２回と前回値を１つ記憶するだけでよいため、少ない演算で電力変動の緩和制御が可能となり、電力変動に即応した追従制御が可能になる。且つ、移動平均・高域フィルタを用いる方法と比較して、発電部における発電電力の変動量が大きい場合でも電力貯蔵部を充放電制御することで、変動緩和後の電力変動を発電機用ガバナまたは／および電力系統が追従できる範囲内に抑えることができるので電力品質の向上が図れる。
さらに、電力系統や発電設備と電力貯蔵部とを協調した電力変動の緩和制御とすることで、発電設備を取り除いて発電部を電力系統に接続したときには、電力系統が追従できる範囲内に電力変動を抑えることで系統に接続される負荷への電力変動を緩和することができ、発電設備が電力系統に接続されたときには、発電設備の発電機用ガバナが追従できる範囲内に電力変動内に抑えることで、系統に接続される負荷及び電力系統への電力変動の波及はなくなる。そして、前記の協調を行うことで、電力系統や発電設備が応答出来ない時間のみ電力貯蔵部で補償すれば良いので電力貯蔵部の設備容量を小さくすることが出来る。
また、小水力発電設備、ディーゼル発電設備又はガスエンジン発電設備とした場合、本発明の電力変動の緩和制御は、前記発電設備が従来から備えているガバナによる出力調整機能の利用が可能となり、既設のこれら発電設備への適用が可能である。そのうえ、小水力発電設備、ディーゼル発電設備又はガスエンジン発電設備を併用した発電システムとすることで、発電部からの電力潮流を一定に保持できると共に発電部を太陽光発電することで、日中の前記発電設備の発電電力を低減し、夜間の発電設備による発電電力を増加させて、太陽光発電と発電設備との相互補完効果を得ることができる。
なお、発電部が電力系統と連系した場合において、発電部と接続する電力系統が小規模な場合や発電部と接続する電力系統が末端にある場合には、当該電力系統は発電部の出力変動の影響を受け易いが、本発明の出力変動緩和制御によって電力系統の出力は安定し、出力変動抑制の効果が顕著となる。
【発明を実施するための最良の形態】
【００１７】
図１は、本発明の実施例を示す構成図である。１は自然エネルギーを電気エネルギーに変換して電力を発電する発電部で、ここでは太陽電池で示され、太陽電池の場合には図示省略されているが複数並列設置されている。２はＤＣ／ＤＣコンバータで、太陽電池の出力電力が最大になるよう制御される。３は充放電部でＤＣ／ＤＣコンバータ等より構成されている。４は充放電部に接続された電力貯蔵部で、蓄電池や電気二重層キャパシタ等が使用され、出力変動の急変には大電流出力が可能な電気二重層キャパシタが好適である。
【００１８】
５は連系用のインバータで、発電部１の発電出力若しくは電力貯蔵部４によって貯蔵された電力を連系する相手方の電圧と同じ大きさで、且つ同じ位相の交流電圧に変換して連系する相手方の系統に逆潮流させる。６は発電設備で、小水力発電設備やディーゼル発電設備等が用いられ、発電設備の出力は変圧器７を通って電力系統に出力される。８は負荷、１０は変化率演算部で、この変化率演算部１０は発電部１の発電電力検出値の変化率（１サンプリング当たりの変化量）に制限を持たせるためのもので、その制限値は電力系統に接続される発電設備６の発電機用ガバナ、または／および電力系統が最大追従可能な電力変化量よりも小さな変化率となるように設定される。したがって、変化率演算部１０の出力は発電設備６の発電機ガバナ、または／および電力系統で追従可能な変動成分で、その出力は減算部９において発電部１の発電電力検出値との差分がとられ、その信号の極性が正の場合には充放電部３に対する放電指令となり、負の極性時には充電指令となって充放電部３に出力される。
【００１９】
なお、ＤＣ／ＤＣコンバータ２は発電部１が風力発電機でＤＣリンク方式の場合にはＡＣ／ＤＣコンバータとなり、ＡＣリンク方式の場合にはコンバータ２は不要となる。また、ＡＣリンク方式の場合には、図１で示すインバータ５が双方向導通のインバータとして構成され、充放電部３で行われる充放電指令をインバータ５で行い電力貯蔵部４と直列に接続されるか、若しくは、電力貯蔵部４、充放電部３と直列に接続され、これら直列に接続された回路が発電設備６と発電部１との連系系統に接続される。
【００２０】
図２は変化率演算部１０のブロック図を示したものである。１１は自然エネルギーを電気エネルギーに変換して電力を発電する発電部１の発電電力検出値で、その検出値は変化率制限部２０と減算部９に出力される。１２は発電部１による発電電力の正方向変化率設定値、１３は負方向変化率設定値で、各設定値は発電設備６または電力系統が追従可能な許容変化率の上下限値となっている。１４は所定の時間間隔で出力されるサンプリング信号、１６及び１７は乗算部で、乗算部１６はサンプリング信号発生の都度、正方向変化率制限値を加算部１８に出力する。また、乗算部１７はサンプリング信号発生の都度、負方向変化率制限値を減算部１９に出力する。１５は遅延部で、変化率演算部１０の出力となる変化率制限部２０の１サンプリング前に演算された演算値が記憶される。
【００２１】
なお、サンプリング間隔を変動周期に比べて短くし過ぎるとサンプリング間の変化率が常に上下限値内に収まり補償動作が行われず、逆にサンプリング間隔を変動周期に比べて長くし過ぎると補償が追いつかず、発電部の出力変動がそのまま電力系統や負荷に出ることになる。そのため、サンプリング間隔は想定される最も短い発電部１の出力変動周期よりも長く、且つ出力変動がそのまま系統に出ても影響が出ない周期よりも短く設定される。また、このサンプリング間隔の設定と同様に変化率の上下限値の設定レベルが重要となり、これらを勘案して合理的に設定される。
【００２２】
以上のように構成された本発明においてその作用を説明する。
自然エネルギーを電気エネルギーに変換して電力を発電する発電部１の発電電力は、インバータ５に供給されて連系する相手方と同じ大きさの電圧で、且つ同じ位相の交流電圧に変換されて連系する相手方に送出される。発電部１の発電電力は図示省略された検出部により検出され、変化率演算部１０の変化率制限部２０と減算部９に出力される。変化率演算部１０には予め図示省略された設定部から発電電力の正方向変化率設定値と負方向変化率設定値がそれぞれ入力される。各設定値は乗算部１６と１７にそれぞれ印加され、サンプリング信号が発振されたときに加算部１８と減算部１９にそれぞれ出力されて１サンプリング前の演算値と加算及び減算が実行される。その結果の各信号は変化率制限部２０に出力される。
【００２３】
図３は変化率制御部２０の動作フローを示したもので、ステップＳ１では、入力された発電部１の発電電力検出値と加算部１８の出力信号との比較、すなわち、発電電力検出値と１サンプリング前の演算値＋許容変化率の上限値との比較判定が行われ、発電電力検出値が当該演算値と上限値との和より大きい場合にはステップＳ３に移行して、変化率制御部２０の演算値（変化率制御部１０の出力）を１サンプリング前の値＋許容変化率（加算部１８の出力）とするための処理が実行される。
【００２４】
一方、Ｓ１で入力された発電電力が加算部１８の出力値より小さい場合、ステップＳ２に移行して発電部１の発電電力と減算部１９の出力信号との比較、すなわち、発電電力検出値と１サンプリング前の演算値−許容変化率の下限値との比較判定が行われ、発電電力検出値が当該演算値と下限値との差より小さい場合にはステップＳ４に移行して、変化率制御部２０の演算値（変化率制御部１０の出力）を１サンプリング前の演算値−許容変化率（減算部１９の出力）とするための処理が実行される。
ステップＳ２で発電電力検出値が減算部１９の出力値より大きい場合、ステップ５で変化率制御部２０の演算値（変化率制御部１０の出力）を発電電力検出値とするための処理が実行される。そして、変化率制御部２０の演算値と発電電力検出値との減算を減算部９において実行し、電力貯蔵部４に対する充放電指令値として充放電部３に出力する。これにより、発電部１の発電電力の変動分で、発電機６の原動機用ガバナの追従性を超えた分が電力貯蔵部４の充放電指令値となり、発電部１の出力と電力貯蔵部４の出力との和による電力変動分はガバナの追従可能な範囲に抑えることができる。
【００２５】
したがって、この実施例によれば、変化率演算部１０から出力される充放電量の指令値は発電機６のガバナが十分に追従できる電力変動内に抑えることが可能となったことにより系統連系点の電力は安定し、発電部１の出力変動による電力系統への悪影響はなくなる。
【００２６】
図４は、本発明による電力変動の緩和制御による発電機の負荷変動を示したもので、（ａ）は電力変動緩和制御を実施しなかった場合、（ｂ）は本発明による発電機の負荷変動を示したものである。
【００２７】
図５は、他の実施例を示したもので、図１の実施例との相違点は変化率制限値（変化率設定値）を電力貯蔵量に関連付けて可変するようにしたことである。すなわち、２１は電力貯蔵量の検出部で、この検出部によって検出された検出値は制限値補正部２２に出力される。制限値補正部２２は、電力貯蔵量に対する正方向変化率制限値と負方向変化率制限値との補正量がテーブル状に形成され、貯蔵量に応じて各変化率の制限値を設定している。他は前述の実施例と同じであるのでその説明を省略する。
【００２８】
この実施例によれば、電力貯蔵部の残量を考慮した変化率の上限、下限が設定されるので、より安定した電力の制御が可能となる。
【００２９】
図６は、図１の構成から発電設備６を取り除き、発電部１を電力系統に連系した場合の実施例を示したものである。この実施例での変化率演算部１０は、発電部１の発電電力検出値の変化率に制限を持たせるために、連系された電力系統の最大追従可能な電力変化量よりも小さい変化量となるように設定される。その制御は、図１〜図３と同様であるので説明は省略する。また、図５のように、変化率演算部１０に電力貯蔵量検出部２１及び制限値補正部２２を追加してもよいことは勿論である。
【００３０】
この実施例によれば、電力系統が追従できる電力変動内に抑えることができるので、この電力系統に接続される負荷への電力変動が緩和できるものである。また、発電部１を電力系統と連系した場合において、発電部１の出力に対して、例えば、離島のような小規模な電力系統で発電部出力の依存度が高い場合、または電力系統の末端で系統内の協調が得難い場合など、発電部１の出力変動の影響を受け易く出力変動が大きくなる。しかし、本発明では、このような場合でも電力系統の出力が安定し、電力変動緩和制御による効果が顕著となるものである。
【００３１】
図７は、図１又は図５の実施例に電力系統を連系した場合の実施例を示したものである。この実施例での変化率演算部１０も、図１などで示す実施例と同様に、発電部１の発電電力検出値の変化率に制限を持たせるために、発電設備の発電機用ガバナが最大追従可能な電力変化量よりも小さい変化量となるように設定され、且つ図１などで示す実施例と同様の演算が実施されて充放電指令値が出力される。
【００３２】
この実施例によれば、発電設備の発電機用ガバナが追従できる電力変動内に抑えることができるので、他の電力系統に接続される負荷への電力変動が緩和できるものである。
なお、図６で示す実施例以外での発電設備６としては、発電設備であれば特に限定するものではないが、特に小水力発電設備、ディーゼル発電設備又はガスエンジン発電設備とした場合、従来から備えているガバナによる出力調整機能の利用が可能となる。これによって、既設の小水力発電設備、ディーゼル発電設備又はガスエンジン発電設備への電力変動の緩和制御の適用が可能である。また、小水力発電設備、ディーゼル発電設備又はガスエンジン発電設備を併用した発電システムとしたことで、発電部からの電力潮流を一定に保持できると共に、発電部を太陽光発電することで日中の前記発電設備の発電電力を低減し、夜間の発電設備による発電電力を増加させて、太陽光発電と発電設備との相互補完効果を得ることができる。
【図面の簡単な説明】
【００３３】
【図１】本発明の第１の実施形態を示す構成図。
【図２】変化率演算部の構成図。
【図３】変化率演算部の動作フローチャート。
【図４】電力変動緩和の比較図で、（ａ）は平準化不実施時の発電機の負荷状態、（ｂ）は変動緩和実施時の発電機の負荷状態図。
【図５】本発明の第２の実施形態を示す構成図。
【図６】本発明の第３の実施形態を示す構成図。
【図７】本発明の第４の実施形態を示す構成図。
【符号の説明】
【００３４】
１…  発電部
２…  ＤＣ／ＤＣコンバータ
３…  充放電部
４…  電力貯蔵部
５…  インバータ
６…  発電設備
７…  変圧器
８…  負荷
９…  減算部
１０…  変化率演算部
１５…  遅延部
１６、１７…  乗算部
１８…  加算部
１９…  減算部
２０…  変化率制限部
２１…  電力貯蔵量検出部
２２…  制限値補正部
【図１】
0005354840.tif 000002
【図２】
0005354840.tif 000003
【図３】
0005354840.tif 000004
【図５】
0005354840.tif 000005
【図６】
0005354840.tif 000006
【図７】
0005354840.tif 000007
【図４】
0005354840.tif 000008